(57)【要約】【課題】フレキシブル継手が接続対象と接着剤を介して強固に接着されているかを外観から確実に把握する。【解決手段】外径が螺旋状波形に形成された樹脂製の本体部２と、本体部２の少なくとも一端に一体に固定され、接続対象の外径に対応する内径に形成された樹脂製のソケット３と、からなるフレキシブル継手１において、ソケット３を透明もしくは半透明とする。【選択図】　図１
2004144161.tif 000002
【特許請求の範囲】
【請求項１】
外形が螺旋状波形に形成された樹脂製の本体部と、本体部の少なくとも一端に一体に固定され、接続対象の外径に対応する内径に形成されたソケットと、からなるフレキシブル継手において、前記ソケットが透明もしくは半透明であることを特徴とするフレキシブル継手。
【発明の詳細な説明】
【０００１】
【発明の属する技術分野】
本発明は、フレキシブル継手に関するものである。
【０００２】
【従来の技術】
従来、洗濯機を設置する場合、床上に防水パンを固定する一方、防水パンの排水口に排水トラップ設けるとともに、床下において、排水トラップの排水口部に排水パイプを接続し、洗濯機からの排水を防水パン、排水トラップおよび排水パイプを経て排出するようにしている。
【０００３】
この場合、排水トラップの排水口部と、排水パイプとは、施工上の制約などにより、同一軸心上に配置することができない場合がある。このため、フレキシブル継手を介して排水トラップの排水口部と、排水パイプの一端とを接続するようにしている。
【０００４】
例えば、図２および図３に示すように、フレキシブル継手１０１は、外形が螺旋状波形に形成された樹脂製の本体部１０２と、本体部１０２の両端にそれぞれ一体に固定された樹脂製のソケット１０３と、から構成されており、防水パン１１の排水口に設けた排水トラップ１２の排水口部１２ａの軸心と、排水パイプ１３の軸心とが、一定角度範囲にわたってずれていたとしても、本体部１０２が可撓性を有しているため、排水トラップ１２の排水口部１２ａおよび排水パイプ１３の一端にそれぞれソケット１０３を接着剤を介して強固に接着でき、洗濯機の排水を円滑に排出することができる。
【０００５】
ここで、フレキシブル継手１０１の一方のソケット１０３の外周面が排水トラップ１２の排水口部１２ａの内周面に嵌合され、また、他方のソケット１０３の内周面が排水パイプ１３の外周面に嵌合されている。
【０００６】
【発明が解決しようとする課題】
ところで、排水トラップの排水口部と、排水パイプの一端とにわたってフレキシブル継手を接続する際、床下空間での作業となることから、作業環境は必ずしも良好とはいえず、フレキシブル継手のソケットと、排水トラップの排水口部または排水パイプの一端とが十分な量の接着剤によって強固に接着されていない場合、あるいは、作業者の過失によって接着剤が塗布されなかった場合、洗濯機からの排水を受けることにより、フレキシブル継手が排水トラップの排水口部または排水パイプから外れるおそれがある。フレキシブル継手が外れた場合には、床下空間に洗濯機の排水が漏出し、特に、集合住宅などにおいては、床下に漏出した排水が階下の住戸に思いがけない被害を及ぼす可能性が高い。
【０００７】
また、フレキシブル継手と、排水トラップの排水口部または排水パイプの一端とが強固に接着されているか否か、あるいは、接着剤が塗布されているか否かは、外観からは把握できないことから、完工時あるいは定期点検時、床下空間において、フレキシブル継手と、排水トラップの排水口部または排水パイプの一端との接続状態を直接手にとって確認しなければならず、作業が煩雑となる。
【０００８】
本発明は、このような問題点に鑑みてなされたものであり、接続対象と接着剤を介して強固に接続されているか否かを確実に把握することのできるフレキシブル継手を提供するものである。
【０００９】
【課題を解決するための手段】
本発明は、外形が螺旋状波形に形成された樹脂製の本体部と、本体部の少なくとも一端に一体に固定され、接続対象の外径に対応する内径に形成されたソケットと、からなるフレキシブル継手において、前記ソケットが透明もしくは半透明であることを特徴とするものである。
【００１０】
本発明によれば、排水トラップの排水口部や排水パイプといった接続対象の外周面に十分な量の接着剤を塗布した後、フレキシブル継手のソケットを嵌合すれば、フレキシブル継手のソケットが透明または半透明であることから、ソケットを通して接着剤が塗布されているか否かを含めて接続対象の外周面に回り込んだ接着剤の塗布状況を把握することができる。
【００１１】
この結果、フレキシブル継手が接続対象と十分な量の接着剤を介して強固に接着されているか否かを外観から簡単に把握することができ、接続対象からのフレキシブル継手の脱落を確実に防止することができる。
【００１２】
この場合、接着剤が着色されていると、フレキシブル継手と接続対象との接着剤による接着状況が一目で把握することができ、好ましい。
【００１３】
【発明の実施の形態】
以下、本発明の実施の形態を図面に基づいて説明する。
【００１４】
図１には、本発明のフレキシブル継手１の一実施形態が示されている。
【００１５】
このフレキシブル継手１は、本体部２と、本体部２の各端縁部にそれぞれ一体に固定されたソケット３と、から構成されている。
【００１６】
本体部２は、樹脂、例えば、軟質塩化ビニルからなり、外形が螺旋状波形に形成されて可撓性を有している。そして、本体部２には、硬質塩化ビニルからなる螺旋状の補強芯材４が内装されている他、その外周面側両端には、硬質塩化ビニルからなるロックリング５がそれぞれ一体に設けられている。
【００１７】
ソケット３は、樹脂、例えば、透明な硬質塩化ビニルからなり、その一端側に前述した本体部２およびその端部に設けたロックリング５を収容可能な受け部３０が形成されている。すなわち、受け部３０は、端面開口の全周にわたって外方に突出するように延設された内方フランジ３１と、この内方フランジ３１の外周面から、本体部２の内周面およびロックリング５の外周面間の距離に相当する間隔をおいて内周面が位置するように、外方に突出するように延設された外方フランジ３２と、から断面略Ｕ字状に形成され、内方フランジ３１の外周面と、外方フランジ３２の内周面とによって区画された空間の奥部には、水膨張性パッキン６が配設されている。
【００１８】
また、ソケット３の他端部は、接続対象の排水トラップ１２の排水口部１２ａや排水パイプ１３の径に対応する径に形成されている。具体的には、一方のソケット３Ａは、排水トラップ１２の排水口部１２ａの内径に対応する外径の挿し口に形成され、また、他方のソケット３Ｂは、排水パイプ１３の外径に対応する内径の受け口に形成されている。
【００１９】
このように構成されたフレキシブル継手１は、各ソケット３の受け部３０の空間に水膨張性パッキン６を挿入した後、接着剤を充填し、本体部２の、ロックリング５を含む各端縁部をソケット３の受け部３０に嵌め込み、接着剤を硬化させることによって組み立てられる。
【００２０】
そして、このフレキシブル継手１を利用して、排水トラップ１２の排水口部１２ａと、排水パイプ１３の一端にそれぞれ接続するには、床下空間において、排水トラップ１２の排水口部１２ａの内周面および排水パイプ１３の一端の外周面にそれぞれ着色された接着剤を塗布し、フレキシブル継手１の一方の挿し口側ソケット３Ａを排水トラップ１２の排水口部１２ａに嵌合させるとともに、その他方の受け口側ソケット３Ｂを排水パイプ１３の一端に嵌合させればよい。この際、排水トラップ１２の排水口部１２ａの軸芯と、排水パイプ１３の軸芯とが、同一軸芯上に位置していない場合であっても、フレキシブル継手１の本体部２が可撓性を有することにより、容易に接続作業を行うことができる。
【００２１】
そして、フレキシブル継手１の受け口側ソケット３Ｂと、排水パイプ１３との接着剤による接続状況は、ソケット３が透明であることにより、該ソケット３を通して排水パイプ１３の外周面に回り込んだ着色された接着剤の塗布状況で把握することができる。
【００２２】
この結果、フレキシブル継手１のソケット３と、排水パイプ１３との接着剤による接続状況は、接着剤の塗布忘れを含めて、その外観から把握することができる。したがって、接着剤を塗布しないまま接続され、あるいは、不十分な量の接着剤によって接続されることによって、フレキシブル継手１が排水パイプ１３から脱落するのを確実に防止することができるとともに、検査などを簡単に行うことができる。
【００２３】
なお、前述した実施形態においては、ソケット３を透明な塩化ビニル樹脂で形成した場合を例示したが、半透明であってもよく、また、樹脂の種類も、塩化ビニル樹脂に限らず、ＡＢＳ樹脂など適宜の樹脂を採用することができる。この場合、ソケット３の樹脂と、本体部２の樹脂とが必ずしも同一である必要はなく、異なる樹脂を組み合わせてフレキシブル継手１を形成することもできる。
【００２４】
また、一方のソケット３を受け口に、他方のソケット３を挿し口にそれぞれ形成したが、両方のソケットを受け口、すなわち、接続対象の外径に対応する内径のソケットに形成してもよい。両方のソケットを受け口に形成することにより、フレキシブル継手１の両方の接続状態を把握することができる。
【００２５】
さらに、補強芯材４を内装した本体部２を例示したが、各別に強度を必要としない場合には、補強芯材を内装する必要はない。
【００２６】
【発明の効果】
以上のように本発明によれば、接着剤を介して接続されている接続対象との接続状態を確実に把握することができる。
【図面の簡単な説明】
【図１】本発明のフレキシブル継手の一実施形態を接続対象とともに示す部分断面図である。
【図２】フレキシブル継手を介して防水パンに設けられた排水トラップおよび排水パイプを接続した状態を一部破断して示す側面図である。
【図３】図２に示した排水トラップと排水パイプをフレキシブル継手を介して接続した状態の平面図である。
【符号の説明】
１　　フレキシブル継手
２　　本体部
３，３Ａ，３Ｂ　ソケット
３０　受け部
４　補強芯材
５　ロックリング
６　水膨張性パッキン
１１　防水パン
１２　排水トラップ
１２ａ　排水口部
１３　排水パイプ
【図１】
2004144161.tif 000003
【図２】
2004144161.tif 000004
【図３】
2004144161.tif 000005